(57)【要約】【課題】訴求効果が高く、製造の負荷やコストが抑えられ、返信ハガキの隠蔽に手間がかからずに、しかも、環境問題に対応した封緘物を提供する。【解決手段】ＤＭ（ダイレクトメール）１０は、３片からなる外側用紙１１と、外側用紙１１に仮止めされた同封物１２と、外側用紙１１を剥離可能に封緘する封緘用剥離糊１３と、返信差出人欄１４ａ，個人情報欄１４ｃなどが設けられた返信ハガキ１４と、折畳まれた外側用紙１１の内部にある返信ハガキ１４の返信差出人欄１４ａを往信受取人欄１４ａ−１として外部から視認できる往信受取人欄視認用窓１５と、折畳まれた外側用紙１１の内部にある同封物１２の一部を外部から視認できる同封物視認用窓１６と、個人情報欄１４ｃを隠蔽する隠蔽シール１７ａが設けられた隠蔽シート１７と、仮止め用の仮接着糊１８と、開封用の切り欠き１９と、切り離し用のミシン目ｍｃなどとを備えている。【選択図】図１
2005041133.tif 000002
【特許請求の範囲】
【請求項１】
複数の片からなる折畳みシートと、
前記折畳みシートに仮止めされた同封物と、
前記折畳みシートの周縁部の一部又は全部に形成され、前記折畳みシートを剥離可能に封緘する封緘用剥離層と、
を備えた封緘物であって、
前記折畳みシートは、ハガキ部を備えること、
を特徴とする封緘物。
【請求項２】
請求項１に記載された封緘物において、
前記ハガキ部は、返信差出人欄が設けられており、
前記折畳みシートは、折畳まれた前記折畳みシートの内部にある前記ハガキ部の前記返信差出人欄を往信受取人欄として外部から視認できる往信受取人欄視認用窓部を備えること、
を特徴とする封緘物。
【請求項３】
複数の片からなる折畳みシートと、
前記折畳みシートの周縁部の一部又は全部に形成され、前記折畳みシートを剥離可能に封緘する封緘用剥離層と、
を備えた封緘物であって、
前記折畳みシートに形成され、返信差出人欄が設けられたハガキ部と、
折畳まれた前記折畳みシートの内部にある前記ハガキ部の前記返信差出人欄を往信受取人欄として外部から視認できる往信受取人欄視認用窓部と、
を備えること、
を特徴とする封緘物。
【請求項４】
請求項１又は請求項２に記載された封緘物において、
前記折畳みシートは、折畳まれた前記折畳みシートの内部にある前記同封物の一部又は全部を外部から視認できる同封物視認用窓部を備えること、
を特徴とする封緘物。
【請求項５】
請求項１から請求項４までのいずれか１項に記載された封緘物において、
前記ハガキ部は、秘匿情報欄が設けられており、少なくとも前記秘匿情報欄を隠蔽する隠蔽部が設けられた隠蔽シートが隣接されていること、
を特徴とする封緘物。
【請求項６】
請求項１から請求項５までのいずれか１項に記載された封緘物において、
前記ハガキ部及び／又は前記隠蔽シートは、外縁の一部又は全部に分離予定線が設けられていること、
を特徴とする封緘物。
【発明の詳細な説明】
【技術分野】
【０００１】
本発明は、冊子やカタログ，サンプル，ハガキなどを一体にして送付可能なＤＭ（ダイレクトメール）などに好適に利用できる封緘物に関するものである。
【背景技術】
【０００２】
従来、この種のＤＭは、郵便による送付が大半で、コスト面から郵便定形サイズが一般的であった。そのため、同封する冊子やチラシなどは、予め所定の大きさに折畳まれ、申込用の返信ハガキやサンプルなどと一緒に封入封緘され、送付されていた。
また、収納されている返信ハガキが、外部から視認可能なように、透明なシートを貼り込んだ窓あき封筒が知られている（例えば、特許文献１）。
【０００３】
しかし、ＤＭを受け取った生活者は、開封後、折畳まれた同封物を一点一点開き、折くせを伸ばさなくてはならず、結果として、折しわのついた内容物は、見づらいという問題点があり、また、封筒そのものもに広告を記載しようとしても、広告媒体としては十分なスペースはなく、訴求力は十分でなかった。
【０００４】
また、取出した同封物をしまう場合にも、再び折畳まなくてはならず、再度開いて見たいという気を起こさせるには十分でなかった。
【０００５】
一方、宛名の処理において、紙封筒の場合は、封緘後に、製造ライン上で封筒表面に直接印字したり、事前に印字された宛名ラベルを貼り付けなくてはならず、また、窓あき封筒の場合は、封入後に、同封される宛名台紙や、冊子やカタログの表面に印字された宛名が、窓から確認できる位置に配置されなければならないので、同封物の大きさや重ねる順番を考慮しての印字は制約が多くなってしまい、いずれの場合も、製造工程が複雑化していた。
【０００６】
また、同封物に申込や詳細資料請求などの返信ハガキが含まれる場合においては、送付先の住所・氏名などの送付先情報に加え、申込者である差出し人の住所・氏名を事前に印字しておくことが一般的であり、この返信ハガキと封筒とのマッチング処理が、個人情報管理の点からも重要な問題であり、製造上の負荷やコストアップにつながっていた。
【０００７】
さらに、ＤＭを受け取った生活者が、返信ハガキに記載する個人情報を保護するため、隠蔽シールが同封されている場合には、自分で隠蔽シールの位置を合わせて貼り込まなくてはならないので、その作業が手間となっていた。
【０００８】
さらにまた、クーポン券やサンプルなどが同封されたＤＭにおいても、紙封筒の場合、同封物をアピールすることができない一方で、窓あき封筒は、同封物をアピールできるが、窓部分のフィルムラッピングが、環境の面で問題を抱えていた。
【０００９】
【特許文献１】特開２００１−３４１４７０号公報
【発明の開示】
【発明が解決しようとする課題】
【００１０】
本発明の課題は、訴求効果が高く、製造の負荷やコストが抑えられ、返信ハガキの隠蔽に手間がかからずに、しかも、環境問題に対応した封緘物を提供することである。
【課題を解決するための手段】
【００１１】
本発明は、以下のような解決手段により、前記課題を解決する。なお、理解を容易にするために、本発明の実施例に対応する符号を付して説明するが、これに限定されるものではない。すなわち、請求項１の発明は、複数の片からなる折畳みシート（１１）と、前記折畳みシート（１１）に仮止めされた同封物（１２−１，１２−２）と、前記折畳みシート（１１）の周縁部の一部又は全部に形成され、前記折畳みシート（１１）を剥離可能に封緘する封緘用剥離層（１３）と、を備えた封緘物であって、前記折畳みシート（１１）は、ハガキ部（１４）を備えること、を特徴とする封緘物である。
【００１２】
請求項２の発明は、請求項１に記載された封緘物において、前記ハガキ部（１４）は、返信差出人欄（１４ａ）が設けられており、前記折畳みシート（１１）は、折畳まれた前記折畳みシート（１１）の内部にある前記ハガキ部（１４）の前記返信差出人欄（１４ａ）を往信受取人欄（１４ａ−１）として外部から視認できる往信受取人欄視認用窓部（１５）を備えること、を特徴とする封緘物である。
【００１３】
請求項３の発明は、複数の片からなる折畳みシート（１１）と、前記折畳みシート（１１）の周縁部の一部又は全部に形成され、前記折畳みシート（１１）を剥離可能に封緘する封緘用剥離層（１３）と、を備えた封緘物であって、前記折畳みシート（１１）に形成され、返信差出人欄（１４ａ）が設けられたハガキ部（１４）と、折畳まれた前記折畳みシート（１１）の内部にある前記ハガキ部（１４）の前記返信差出人欄（１４ａ）を往信受取人欄（１４ａ−１）として外部から視認できる往信受取人欄視認用窓部（１５）と、を備えること、を特徴とする封緘物である。
【００１４】
請求項４の発明は、請求項１又は請求項２に記載された封緘物において、前記折畳みシート（１１）は、折畳まれた前記折畳みシート（１１）の内部にある前記同封物（１２−１，１２−２）の一部又は全部を外部から視認できる同封物視認用窓部（１６）を備えること、を特徴とする封緘物である。
【００１５】
請求項５の発明は、請求項１から請求項４までのいずれか１項に記載された封緘物において、前記ハガキ部（１４）は、秘匿情報欄（１４ｃ）が設けられており、少なくとも前記秘匿情報欄（１４ｃ）を隠蔽する隠蔽部（１７ａ）が設けられた隠蔽シート（１７）が隣接されていること、を特徴とする封緘物である。
【００１６】
請求項６の発明は、請求項１から請求項５までのいずれか１項に記載された封緘物において、前記ハガキ部（１４）及び／又は前記隠蔽シート（１７）は、外縁の一部又は全部に分離予定線（ｍｃ）が設けられていること、を特徴とする封緘物である。
【発明の効果】
【００１７】
本発明によれば、（１）ハガキ部が設けられた折畳みシートと、同封物とを一体化させたので、製造工程が簡略化し、（２）返信差出人欄を視認できる往信受取人欄視認用窓部を折畳みシートに設けたので、マッチング処理が不用となり、（３）同封物を視認できる同封物視認用窓部を折畳みシートに設けたので、訴求効果が高められ、（４）隠蔽シートをハガキ部に隣接して設けたので、隠蔽作業の手間がかからない、という効果がある。
【発明を実施するための最良の形態】
【００１８】
本発明は、訴求効果が高く、また、製造の負荷やコストが抑えられる封緘物を提供するという目的を、ハガキ部が設けられ、同封物が仮止めされた折畳みシートを折畳んだ後に、内部のハガキ部や同封物を視認できる窓部を折畳みシートに設けることにより実現した。
【００１９】
以下、図面等を参照して、本発明の実施例について、さらに詳しく説明する。
【実施例１】
【００２０】
図１は、本発明による実施例１を模式的に示す図であって、図１（Ａ）〜（Ｄ）は、ＤＭが折畳まれる様子を模式的に示した図であり、図２は、図１（Ｂ）におけるＡＡ断面を模式的に示した図である。
実施例１によるＤＭ（封緘物）１０は、外側用紙１１と、同封物１２と、封緘用剥離糊１３と、返信ハガキ１４と、往信受取人欄視認用窓１５と、同封物視認用窓１６と、隠蔽シート１７と、仮接着糊１８と、切り欠き１９と、ミシン目ｍｃなどとを備えている。
【００２１】
外側用紙１１は、３片からなる紙片（図中左から左側紙片，中央紙片，右側紙片）であって、販促（販売促進）情報などの様々な情報が印刷されており、配送中に折曲がらない程度の剛性を有し、加工適性を満足する、１００〜１６０グラム／ｍ2の用紙を用いた。なお、外側用紙１１は、ＰＰ（ポリプロピレン）加工したものであってもよい。
【００２２】
同封物１２は、ＤＭ１０に同封する物品であり、商品などが記載されているカタログ１２−１と、試供品などのサンプル１２−２とである。
【００２３】
封緘用剥離糊１３は、外側用紙１１の右側紙片の天地部分及び右端部付近と、外側用紙１１の中央紙片の左側紙片が重なる天地部分とに形成され、外側用紙１１を折畳んだ場合に、剥離可能に封緘する糊である。
【００２４】
返信ハガキ１４は、事前に住所・氏名が印字されている返信差出人欄１４ａ、及び、返信受取人欄１４ｂと、生活者が受け取った後に、捺印や必要事項の書き込みを行う個人情報欄１４ｃ（秘匿情報欄）などとが設けられたハガキである。
【００２５】
往信受取人欄視認用窓１５は、折畳まれた外側用紙１１の内部にある返信ハガキ１４の返信差出人欄１４ａを往信受取人欄１４ａ−１として外部から視認できる開口部である。
【００２６】
同封物視認用窓１６は、折畳まれた外側用紙１１の内部にあるカタログ１２−１やサンプル１２−２の一部を外部から視認できる開口部である。
【００２７】
隠蔽シート１７は、返信ハガキ１４に隣接され、個人情報欄１４ｃを隠蔽するための隠蔽シール１７ａが設けられている紙片である。また、層構成は、図２に示すように、離形紙１７ａ−１，再剥離再貼付糊１７ａ−２，シール台紙１７ａ−３が順に重ねられた隠蔽シール１７ａが、隠蔽シール仮接着糊１８ｃを介して隠蔽シート１７に仮止めされている。なお、隠蔽シート１７の裏面（隠蔽シール仮接着糊１８ｃが塗布されてない面）には、クーポン券用のクーポン情報１７ｂが印刷されている。
【００２８】
仮接着糊１８は、仮止め用の糊であり、カタログ１２−１，サンプル１２−２，隠蔽シール１７ａのそれぞれを仮止めするカタログ仮接着糊１８ａ，サンプル仮接着糊１８ｂ，隠蔽シール仮接着糊１８ｃを有し、塗布する仮接着糊としては、生活者が容易に剥離可能なゴム系の弱粘着性のものを用いる。
【００２９】
切り欠き１９は、封緘されたＤＭ１０を開封しやすくするために、切り取られた部分である。
【００３０】
次に、実施例１によるＤＭ１０の製造方法を説明する。
まず、図１（Ａ）に示すように、外側用紙１１に使用する横長の紙を用意し、販促情報や送付先情報などの必要事項を印刷した後に、返信ハガキ１４と隠蔽シート１７との外縁の一部に、分離予定線であるミシン目ｍｃを切り込み、折畳まれたＤＭ１０内部の返信差出人欄１４ａと重なるように往信受取人欄視認用窓１５を切り抜き、折畳まれたＤＭ１０内部の同封物１２の表出させたい部分と重なるように同封物視認用窓１６を切り抜き、外側用紙１１の右下の角に、開封しやすくするための切り欠き１９を設け、封緘用剥離糊１３と仮接着糊１８とを塗布する。
【００３１】
ついで、図１（Ｂ）に示すように、カタログ１２−１，サンプル１２−２，隠蔽シール１７ａをそれぞれ貼り込み、仮止めする。
【００３２】
さらに、図１（Ｃ）に示すように、外側用紙１１の左側紙片を内側に折返し、外側用紙１１の中央紙片の封緘用剥離糊１３と接着させる。
【００３３】
最後に、図１（Ｄ）に示すように、外側用紙１１の右側紙片を内側に折返し、外側用紙１１の右側紙片の封緘用剥離糊１３で全体を封緘することによって、ＤＭ１０が完成し、往信受取人欄視認用窓１５からは、返信ハガキ１４の返信差出人欄１４ａが往信受取人欄１４ａ−１として外部から視認でき、また、同封物視認用窓１６からは、カタログ１２−１やサンプル１２−２の一部が外部から視認できる。
【００３４】
以上のようにして、図１（Ｄ）に示した状態のＤＭ１０が完成したら、ＤＭ１０は、宅配便などの配送手段によって、生活者に届けられ、届けられたＤＭ１０は、切り欠き１９から開封されて中身が確認される。
なお、指定されたエリアの生活者宅への投げ込みをするポスティングを行ってもよい。
【００３５】
ここで、図２及び図３を参照しながら、隠蔽シールの貼り込み方法について説明する。
図３は、隠蔽シールの貼り込み方法を示す模式図である。
まず、図３（Ａ）に示すように、外側用紙１１から、返信ハガキ１４と隠蔽シート１７とをミシン目ｍｃを用いて切り離した後に、個人情報欄１４ｃに必要事項の記入や印鑑の捺印などを行う。
【００３６】
ついで、図３（Ｂ）に示すように、離形紙１７ａ−１を剥がす。
さらに、図３（Ｃ）に示すように、隠蔽シート１７をミシン目ｍｃで折返えす。
そして、図３（Ｄ）に示すように、隠蔽シート１７を返信ハガキ１４に重ね合わせ、上部から手などで加圧する。
最後に、図３（Ｅ）に示すように、返信ハガキ１４に、シール台紙１７ａ−３が転着し、個人情報欄１４ｃが隠蔽され、また、隠蔽シート１７を分離することによって、隠蔽シート１７が、クーポン券として使用できるようになる。
【００３７】
このように、実施例１によれば、ＤＭ１０に用いる外側用紙１１の販促情報印刷に加え、カタログ１２−１やサンプル１２−２を仮止めし、同封を知らせる同封物視認用窓１６を設けたので、ＤＭ１０を受け取った生活者の開封意欲を高める一方で、開封時に同封物がばらばらにならず、一見できるＤＭ１０を提供することができた。
【００３８】
また、返信ハガキ１４を一体化させた外側用紙１１を作製することで、製造工程が簡略化し、事前に印字された返信ハガキ１４の返信差出人欄１４ａを往信受取人欄１４ａ−１に流用する往信受取人欄視認用窓１５を設けたので、往信受取人欄１４ａ−１と返信差出人欄１４ａとのアンマッチを防止することができた。
【００３９】
さらに、隠蔽シート１７を返信ハガキ１４に隣接させたので、隠蔽シール１７ａの貼り込み位置を生活者が意識しなくても、的確な位置合わせが可能となり、かつ、ＤＭ１０を受け取った生活者が、申込時に記入する返信ハガキ１４の個人情報欄１４ｃを隠蔽する隠蔽シール１７ａの貼り付けを簡易化することができた。
【００４０】
さらにまた、返信ハガキ１４が、外側用紙１１に一体化され、同封物１２に関しても、外側用紙１１に仮止めされているので、返信差出人欄１４ａや同封物１２の表出させたい部分が、各窓部からズレしまい、見ずらくなることがなくなった。
【００４１】
一方、各窓部には、フィルム貼り加工を施していないので、環境問題にも対応できた。
【００４２】
（変形例）
以上説明した実施例に限定されることなく、種々の変形や変更が可能であって、それらも本発明の均等の範囲内である。
（１）  上述した実施例１では、返信ハガキ１４の例で説明したが、普通のハガキや絵ハガキなどでもよい。
【００４３】
（２）  上述した実施例１では、同封物１２は、カタログ１２−１とサンプル１２−２とを例に挙げて説明したが、例えば、複数のページからなる冊子や、ＣＤ−ＲＯＭ，ＤＶＤ，ＦＤなどの記録媒体や、玩具や教材などの付録や、大きな紙片を折畳んだチラシ、広告などの宣伝用紙でもよい。
【００４４】
（３）  上述した実施例１では、同封物１２が同封されている例で説明したが、同封物１２を同封しないＤＭとして利用してもよい。
【００４５】
（４）  図４は、図１に示す隠蔽シートの変形例を示す断面を模式的に示す図である。上述した実施例１では、隠蔽シート１７に仮止めされた隠蔽シール１７ａを用いて個人情報欄１４ｃを隠蔽する方法で説明したが、例えば、図４に示すように、隠蔽シート１７の上に、再剥離再貼付糊１７ａ−２、クーポン情報１７ｂが印刷された離形紙１７ａ−１を順に積層してもよい。離形紙１７ａ−１は、剥離してからクーポン券として利用でき、隠蔽シート１７は、そのまま折返して個人情報欄１４ｃを隠蔽する隠蔽片となる。このようにすれば、図３（Ｄ）に示す段階で隠蔽作業が終了するので、生活者の隠蔽作業も少なくてすみ、使用する部材も減少するので、よりコストを抑えることができる。
【００４６】
（５）  上述した実施例１で、分離予定線は、ミシン目としたが、マイクロミシン目やハーフカットなどの他のカット線でもよい。
【図面の簡単な説明】
【００４７】
【図１】本発明による実施例１を模式的に示す図である。
【図２】図１（Ｂ）におけるＡＡ断面を模式的に示した図である。
【図３】隠蔽シールの貼り込み方法を示す模式図である。
【図４】図１に示す隠蔽シートの変形例を示す断面を模式的に示す図である。
【符号の説明】
【００４８】
１０  ＤＭ（ダイレクトメール）
１１  外側用紙
１２  同封物
１２−１  カタログ
１２−２  サンプル
１３  封緘用剥離糊
１４  返信ハガキ
１４ａ  返信差出人欄
１４ａ−１  往信受取人欄
１４ｂ  返信受取人欄
１４ｃ  個人情報欄
１５  往信受取人欄視認用窓
１６  同封物視認用窓
１７  隠蔽シート
１７ａ  隠蔽シール
１７ａ−１  離形紙
１７ａ−２  再剥離再貼付糊
１７ａ−３  シール台紙
１７ｂ  クーポン情報
１８  仮接着糊
１８ａ  カタログ仮接着糊
１８ｂ  サンプル仮接着糊
１８ｃ  隠蔽シール仮接着糊
１９  切り欠き
ｍｃ  ミシン目
【図１】
2005041133.tif 000003
【図２】
2005041133.tif 000004
【図３】
2005041133.tif 000005
【図４】
2005041133.tif 000006